(57)【要約】【課題】記録媒体を比較的簡単な構成で搬送できるうえ、記録手段により記録が施されるときに記録媒体を安定に搬送して高い記録位置精度を得ることができるライン記録方式の画像形成装置及び画像形成方法を提供する。【解決手段】大径のドラム１３と小径のローラ１４とに無端状のベルト１５が巻き掛けられている。ベルト１５上を搬送される記録紙Ｐに対して印刷を施すライン記録方式の記録ヘッド１９Ｙ，１９Ｍ，１９Ｃ，１９Ｋは、ドラム１３の外周面のうちベルト１５が巻き付く領域に対向して配置されている。印刷時には、ドラム１３が一定速度で回転駆動されることで記録紙Ｐが一定速度で搬送されつつ、記録紙Ｐのドラム１３に巻き付く部分に対しインク滴が吐出され印刷が施される。【選択図】図１
2009073589.tif 000002
【特許請求の範囲】
【請求項１】
ドラムと、
前記ドラムより小径のローラと、
前記ドラムと前記ローラとに巻き掛けられた無端状のベルトと、
前記ドラムを回転駆動させることにより前記ベルトを搬送させる駆動源と、
前記ベルトの前記ドラムに巻き掛けられた部分の外周面上を搬送されるように記録媒体
を給送する給送手段と、
前記ベルトの前記ドラムに巻き掛けられた部分の外周面上に載った部分の前記記録媒体
に記録を施すことが可能に当該ドラムの外周面に対向して配置されたライン記録方式の記
録手段と
を備えたことを特徴とするライン記録方式の画像形成装置。
【請求項２】
前記ドラムは、前記ローラの径の３〜１０倍の範囲内の径を有することを特徴とする請
求項１に記載のライン記録方式の画像形成装置。
【請求項３】
前記ベルトにおける少なくとも前記ドラムに巻き掛けられた部分において前記記録媒体
を負圧吸着させる負圧手段を更に備えたことを特徴とする請求項１又は２に記載のライン
記録方式の画像形成装置。
【請求項４】
前記記録手段による記録が施された後の前記記録媒体は、前記ベルト上を前記ローラに
巻き掛けられた部分まで搬送されて曲率分離されることを特徴とする請求項３に記載のラ
イン記録方式の画像形成装置。
【請求項５】
前記曲率分離される位置又は該位置より搬送方向下流側の近傍位置には、前記記録媒体
を前記ベルトから剥離するための剥離手段が設けられていることを特徴とする請求項４に
記載のライン記録方式の画像形成装置。
【請求項６】
前記負圧手段は、前記ドラムの内部の気体を吸引排出するものであり、前記ドラムと前
記ベルトには、前記ドラム内の負圧に基づく吸着力を前記ベルト上の記録媒体に及ぼすた
めの吸引孔がそれぞれ形成されていることを特徴とする請求項５に記載のライン記録方式
の画像形成装置。
【請求項７】
前記ベルトの内周面より内側であってかつ前記ドラムの外側となる空間部分には、前記
ドラムの吸引孔を通じて該ドラム内へ気体が排出されて生じた負圧に基づき、前記ドラム
に巻き掛けられた部分を通り過ぎた前記ベルトの部分が前記ローラに巻き掛けられた部分
に至る部分における前記ベルトの吸引孔に吸着力が及ぶように前記空間部分のうち負圧が
及ぶ部分を区画する隔壁部が設けられ、少なくとも隔壁部とベルトとにより囲まれた空間
は略密閉状態に封止されていることを特徴とする請求項５又は６に記載のライン記録方式
の画像形成装置。
【請求項８】
前記隔壁部は、前記ドラムに巻き掛けられた部分を通り過ぎて前記ローラに巻き掛けら
れた部分に至る部分における前記ベルトの吸引孔に及ぶように前記吸着力を搬送方向下流
側ほど小さく調整するように、前記空間部分のうち負圧が及ぶ部分を区画することを特徴
とする請求項７に記載のライン記録方式の画像形成装置。
【請求項９】
大径のドラムと小径のローラとに巻き掛けられた無端状のベルトの前記ドラムに巻き掛
けられた部分に載って搬送されるように記録媒体を給送する給送ステップと、
前記給送された記録媒体に対して前記ベルトの前記ドラムに巻き掛けられた部分に載っ
た部分にてライン記録方式の記録手段により記録を施す記録ステップと、
前記記録後の記録媒体を前記ベルトから前記ローラに巻き掛けられて曲率が大きく変化
する部分にて曲率分離させる媒体分離ステップと、
を備えたことを特徴とするライン記録方式の画像形成方法。
【発明の詳細な説明】
【技術分野】
【０００１】
本発明は、例えばラインプリンタのようにライン記録方式の記録手段を用いて、ベルト
で搬送される記録媒体に文字や画像の記録を施すとともにライン記録方式の画像形成装置
及び画像形成方法に関する。
【背景技術】
【０００２】
例えば特許文献１には、印刷時における記録紙の搬送速度を安定させるために、回転す
るドラム状に記録紙を貼り付けて、一定速度で回転搬送しながらその記録紙上にインクジ
ェット方式の記録ヘッドにより文字や画像を記録するプリンタが開示されている。このプ
リンタでは、記録紙の先端を保持するグリップ機構などが設けられていた。また、記録紙
全体をドラムに密着させて搬送するために、コロナチャージャーにより帯電させる構成と
なっており、その記録紙をドラムから分離して排出するために、グリップ機構を解放する
と同時に剥離チャージャーを作動させて除電する構成となっていた。また、実際に記録紙
を排出するためには、さらにバキュームベルトトランスポートなどの付加機構が設けられ
ていた。
【０００３】
また、特許文献２、３には、ローラ対に巻き掛けられたベルト上を記録紙が搬送される
ラインプリンタ（ライン型インクジェット記録装置）が開示されている。このラインプリ
ンタでは、複数のラインヘッドがローラ間におけるベルト上面と対向する位置に配列され
ていた。そして、ベルト上に帯電吸着又は負圧吸着された記録紙に対してラインヘッドか
らインク滴が吐出されることで、記録紙に印刷が施されるようになっていた。
【特許文献１】特開２００３−９４６１５号公報（例えば明細書段落［００２９］〜［００４１］等、図４等）
【特許文献２】特開２００５−２８０１９２号公報（例えば明細書段落［００１３］［００１４］、図２）
【特許文献３】特開２００７−７６８７２号公報（例えば明細書段落［００１８］〜［００２１］等、図１等）
【発明の開示】
【発明が解決しようとする課題】
【０００４】
しかしながら、特許文献１に示されたプリンタでは、記録紙の先端を保持するグリップ
機構などの大がかりな構成が必要であった。また、記録紙全体をドラムに密着させて搬送
するためには、コロナチャージャーにより帯電させる必要があり、その記録紙をドラムか
ら分離して排出するためには、グリップ機構を解放すると同時に剥離チャージャーを作動
させて除電するなどの煩雑な手続が必要であった。また、実際に記録紙を排出するために
は、さらにバキュームベルトトランスポートなどの付加機構が必要であって、紙搬送系全
体として大型化が避けられないものであった。
【０００５】
また、特許文献２、３のプリンタでは、記録紙はベルト上に吸着されるものの、記録紙
に対してはベルトのローラ間に張設された部分に載置された箇所に印刷が施されるため、
ベルトが比較的振動しやすく、振動する記録紙に対してインク滴が着弾されることになっ
ていた。また、そもそもベルトをローラ間に張設した構造では、記録紙を支えて搬送する
ベルトやローラに大きなイナーシャを期待することができないため、速度変動が起きやす
いものであった。これらの理由により、インクドットの位置精度がばらつきやすく、高い
印刷品質が得られにくいという問題があった。
【０００６】
本発明は、上記問題点に鑑みてなされたものであり、その目的は、記録媒体を比較的簡
単な構成で搬送できるうえ、記録手段により記録が施されるときに記録媒体を安定に搬送
して高い記録位置精度を得ることができるライン記録方式の画像形成装置及び画像形成方
法を提供することにある。
【課題を解決するための手段】
【０００７】
本発明は、ライン記録方式の画像形成装置であって、ドラムと、前記ドラムより小径の
ローラと、前記ドラムと前記ローラとに巻き掛けられた無端状のベルトと、前記ドラムを
回転駆動させることにより前記ベルトを搬送させる駆動源と、前記ベルトの前記ドラムに
巻き掛けられた部分の外周面上を搬送されるように記録媒体を給送する給送手段と、前記
ベルトの前記ドラムに巻き掛けられた部分の外周面上に載った部分の前記記録媒体に記録
を施すことが可能に当該ドラムの外周面に対向して配置されたライン記録方式の記録手段
とを備えたことを要旨とする。
【０００８】
この発明によれば、ライン記録方式の記録手段は、給送手段により給送された記録媒体
に対し、ベルトのドラムに巻き掛けられた部分の外周面上に載った部分に記録を施す。ド
ラムはローラに比べ大径でイナーシャが大きいため、一定速度で回転する場合、安定な回
転が得られる。このため、記録媒体のベルトを介してドラム上に載って搬送される部分は
、振動や速度変動などがなく安定に搬送され、この安定に搬送される部分に対して記録が
施されるので、高い記録位置精度が確保される。また、記録媒体をベルトにより搬送する
構成なので、搬送のための構成が簡単である。なお、シリアル記録方式を採用した場合は
、記録媒体を間欠搬送するためにドラムを間欠駆動させる必要があり、この場合、イナー
シャが大きいことが返って停止位置精度の悪化をもたらす。しかし、ライン記録方式の記
録手段で採用するため、記録中において、ドラムを一定速度で回転すればよいので、記録
媒体の安定な搬送が可能となり、上記の優れた効果が得られる。
【０００９】
本発明のライン記録方式の画像形成装置において、前記ドラムは、前記ローラの径の３
〜１０倍の範囲内の径を有することが好ましい。
この発明によれば、ドラムの径が、ローラの径の３〜１０倍の範囲であるので、ドラム
の大径化に伴う装置の過度の大型化を回避しつつ、ローラに比べドラムのイナーシャを十
分大きく確保して、ドラムに巻き掛けられた部分の記録媒体を安定に搬送できる。従って
、記録媒体の搬送位置精度が高まり、記録媒体への記録位置精度を効果的に高めることが
できる。
【００１０】
本発明のライン記録方式の画像形成装置において、前記ベルトにおける少なくとも前記
ドラムに巻き掛けられた部分において前記記録媒体を負圧吸着させる負圧手段を更に備え
たことが好ましい。
【００１１】
この発明によれば、ベルトにおける少なくともドラムに巻き掛けられた部分において、
記録媒体は負圧手段の負圧によりベルト上に吸着されるので、安定駆動されるドラムの外
周面に対する記録媒体の位置ずれを効果的に回避できる。このため、記録媒体のドラム（
又はベルト）に対する位置ずれを効果的に回避して、高い記録位置精度が得られやすくな
る。
【００１２】
本発明のライン記録方式の画像形成装置において、前記記録手段による記録が施された
後の前記記録媒体は、前記ベルト上を前記ローラに巻き掛けられた部分まで搬送されて曲
率分離されることが好ましい。
【００１３】
この発明によれば、記録手段による記録が施された後の記録媒体は、ベルト上に載った
状態で該ベルトがローラに巻き掛けられた部分まで搬送されて、ベルトの曲率を利用した
曲率分離によりベルトから分離される。このため、記録媒体をベルトから分離するための
複雑な分離機構を設けなくても、記録媒体を簡単に分離することができる。好ましくは、
ローラの径はドラムの径の１／３〜１／１０の範囲と充分に小さくすることにより、ベル
トがローラに巻回される部分での曲率分離が確実に行われる。
【００１４】
本発明のライン記録方式の画像形成装置において、前記曲率分離される位置又は該位置
より搬送方向下流側の近傍位置には、前記記録媒体を前記ベルトから剥離するための剥離
手段が設けられていることが好ましい。
【００１５】
この発明によれば、剥離手段が曲率分離位置に設けられている場合、記録媒体がローラ
に対応する位置で曲率分離される際に、剥離手段によりその分離が補助される。また、剥
離手段が曲率分離位置より搬送方向下流側の近傍位置に設けられている場合は、仮に記録
媒体に曲率分離されない部分が発生しても、その部分は剥離手段によりベルトから確実に
剥離される。よって、剥離手段がいずれの位置に設けられている場合も、記録媒体のベル
トからの分離をより確実なものとすることができる。
【００１６】
本発明のライン記録方式の画像形成装置において、前記負圧手段は、前記ドラムの内部
の気体を吸引排出するものであり、前記ドラムと前記ベルトには、前記ドラム内の負圧に
基づく吸着力を前記ベルト上の記録媒体に及ぼすための吸引孔がそれぞれ形成されている
ことが好ましい。
【００１７】
この発明によれば、負圧手段により、ドラムの内部の気体が吸引排出されてドラム内が
負圧になり、ドラムとベルトに形成された吸引孔に及ぶ負圧に基づく吸着力により、ベル
ト上に載った記録媒体がベルト上に吸着される。よって、記録媒体のドラムに巻き掛けら
れた部分のベルトへの吸着を比較的簡単な構成で実現できる。
【００１８】
本発明のライン記録方式の画像形成装置において、前記ベルトの内周面より内側であっ
てかつ前記ドラムの外側となる空間部分には、前記ドラムの吸引孔を通じて該ドラム内へ
気体が排出されて生じた負圧に基づき、前記ドラムに巻き掛けられた部分を通り過ぎた前
記ベルトの部分が前記ローラに巻き掛けられた部分に至る部分における前記ベルトの吸引
孔に吸着力が及ぶように前記空間部分のうち負圧が及ぶ部分を区画する隔壁部が設けられ
、少なくとも隔壁部とベルトとにより囲まれた空間は略密閉状態に封止されていることが
好ましい。
【００１９】
この発明によれば、ベルトの内周面より内側であってかつ前記ドラムの外側となる空間
部分（ドラムのうちベルトが巻き掛けられていない部分の吸引孔が連通することができる
ベルトの内側の空間部分）が隔壁部により区画され、ベルトのドラムに巻き掛けられた部
分よりも下流側でローラに巻き掛けられている箇所までの間で記録媒体が搬送される範囲
のベルト部分の吸引孔に負圧を集中させることができる。よって、記録が施された後、ベ
ルトから分離されるまでの間、搬送される記録媒体をベルト上にしっかり吸着させておく
ことができる。このため、記録媒体のうち記録が施された後の搬送中の部分に何らかの外
力（例えば気流等）が及んでその部分がベルトから分離したことが原因で、ドラムに巻き
掛けられたベルト上に載った部分の記録媒体の位置がずれ、記録位置精度が低下するなど
の不都合を回避できる。
【００２０】
本発明のライン記録方式の画像形成装置において、前記隔壁部は、前記ドラムに巻き掛
けられた部分を通り過ぎて前記ローラに巻き掛けられた部分に至る部分における前記ベル
トの吸引孔に及ぶ負圧を、搬送方向下流側ほど小さく調整するように、前記空間部分を区
画する形状を有していることが好ましい。
【００２１】
この発明によれば、ドラムに巻き掛けられた部分を通り過ぎてローラに巻き掛けられた
部分に至る部分におけるベルトの吸引孔に及ぶ負圧は、空間部分を区画する隔壁部の形状
等により、搬送方向下流側ほど小さくなるように調整される。このため、記録が施された
後の記録媒体をベルトに吸着させた状態を維持して搬送できるうえ、曲率分離箇所では弱
まった吸着力によりベルトからの曲率分離を確実なものとすることができる。
【００２２】
本発明のライン記録方式の画像形成装置において、大径のドラムと小径のローラとに巻
き掛けられた無端状のベルトの前記ドラムに巻き掛けられた部分に載って搬送されるよう
に記録媒体を給送する給送ステップと、前記給送された記録媒体に対して前記ベルトの前
記ドラムに巻き掛けられた部分に載った部分にてライン記録方式の記録手段により記録を
施す記録ステップと、前記記録後の記録媒体を前記ベルトから前記ローラに巻き掛けられ
て曲率が大きく変化する部分にて曲率分離させる媒体分離ステップと、を備えたことを要
旨とする。この発明によれば、上記画像形成装置の発明と同様の作用効果を得ることがで
きる。
【発明を実施するための最良の形態】
【００２３】
（第一実施形態）
以下、本発明を具体化した第一実施形態を図１、図２に基づいて説明する。
図１は、インクジェット方式のラインプリンタの模式側面図を示し、図２は、ラインプ
リンタの平面図を示す。なお、図１及び図２において左側が用紙搬送方向下流側である。
また、図２では記録紙が印刷開始後間もない搬送位置にある状態で、図１は記録紙の先端
がベルト上から排出されているときの搬送位置にある状態を示している。
【００２４】
図１及び図２に示すように、画像形成装置としてのラインプリンタ（以下、単にプリン
タ１１という）は、記録紙Ｐを搬送するためのベルト搬送装置１２を備えている。ベルト
搬送装置１２は、用紙搬送方向上流側に設けられた駆動ドラム（以下、ドラム１３と称す
）と、用紙搬送方向下流側に設けられた従動ローラ（以下、ローラ１４という）と、ドラ
ム１３及びローラ１４に渡って巻き掛けられた無端状の搬送ベルト（以下、単にベルト１
５と称す）とを有している。なお、ドラム１３とローラ１４との各回転軸１３ａ，１４ａ
は、図示しない軸受により回転可能に支持されている。
【００２５】
ドラム１３には、図２に示す電動モータ１６の出力軸が直接又は減速機構（図示省略）
を介して動力伝達可能に連結されている。電動モータ１６が正転駆動されると、ドラム１
３が回転駆動し、ベルト１５が記録紙Ｐを上流側から下流側（図１、図２における右側か
ら左側）へ搬送可能な方向に回転する。ベルト搬送装置１２の搬送方向上流側であって、
ドラム１３の外側下方近傍位置には、給送手段を構成する一対のゲートローラ１７が設け
られ、記録紙Ｐはゲートローラ１７の回転によりベルト１５のドラム１３に巻き掛けられ
た部分の上を搬送されるようにベルト１５上へ給送される。なお、ゲートローラ１７は、
記録紙Ｐをローラ面に突き当てることで記録紙Ｐのスキューを補正し、また駆動開始タイ
ミングを図ることで、記録紙Ｐをベルト１５上の目標位置に載せるようにタイミングを合
わせて記録紙Ｐを送り出す。例えばベルト１５は、帯状のベルト材の両端部を接続して無
端状にしたものであり、記録紙Ｐがベルト１５の継ぎ目にかからないように給送される。
【００２６】
ドラム１３の外側上方位置（図１における右上）には、記録手段として４個のライン記
録方式の記録ヘッド（以下、ラインヘッド１９Ｙ，１９Ｍ，１９Ｃ，１９Ｋと称す）が、
ドラム１３の外周面と対向するように配置され、それぞれドラム１３の外周面に沿うよう
にその周方向（搬送方向）に所定の間隔を置いて配列されている。４個のラインヘッド１
９Ｙ，１９Ｍ，１９Ｃ，１９Ｋは、イエロー（Ｙ）、マゼンタ（Ｍ）、シアン（Ｃ）、ブ
ラック（Ｋ）の４色のインク滴をそれぞれ吐出するものであって、吐出すべきインクは各
色のインクタンク（不図示）からインク供給チューブを通じて供給される。
【００２７】
各ラインヘッド１９Ｙ，１９Ｍ，１９Ｃ，１９Ｋは、最大紙幅分の記録が可能な長さに
渡り、記録紙Ｐの搬送方向と交差（直交）する方向（ノズル列方向）に、複数のノズルが
形成されており、それらのノズルから同時に必要箇所に必要量のインク滴を吐出すること
により、記録紙Ｐ上に微小なインクドットを形成する。これを各色毎に行うことにより、
ベルト１５上の記録紙Ｐをラインヘッド１９Ｙ，１９Ｍ，１９Ｃ，１９Ｋとベルト１５間
の搬送路上を一度通過させるだけのワンパスで、記録紙Ｐへの文字や画像等の印刷を行う
ことが可能となっている。なお、必要な色数のラインヘッド１９Ｙ，１９Ｍ，１９Ｃ，１
９Ｋは、１本のヘッドにより構成されてもよいし、ラインヘッドとしての機能を果たすよ
うに複数個の単位ヘッドが搬送方向と交差する方向にライン状に配列されて構成されるマ
ルチヘッドにより構成するもともできる。さらには、複数個の単位ヘッドが搬送方向と交
差する方向（紙幅方向）においてそれぞれ異なる位置に配置されてこれら複数個の単位ヘ
ッドにより紙幅全域の印字が可能である限りにおいて、少なくとも一部の単位ヘッドが搬
送方向に異なる位置に配置されていても構わない。なお、ラインヘッド１９Ｙ，１９Ｍ，
１９Ｃ，１９Ｋについては、特にインク色を区別しない場合は、総括してラインヘッド１
９と記す場合がある。
【００２８】
図２に示すように、ベルト１５の一側縁部には、磁気式リニアエンコーダ２０が設けら
れている。磁気式リニアエンコーダ２０は、ベルト全周に亘って形成された磁気リニアス
ケール２１と、磁気リニアスケール２１上に一定ピッチで着磁された磁気パターンを検出
し再生する磁気センサ２２とにより構成される。磁気センサ２２は、ベルト１５の回転量
に比例する数のパルスからなるエンコーダ信号（パルス）を出力する。プリンタ１１に設
けられた制御手段としてのコントローラ２３は、磁気センサ２２から入力したエンコーダ
信号に基づいて電動モータ１６を、そのときの印刷モードに応じた一定速度に駆動制御す
るとともに、エンコーダ信号を基に内部回路で生成した印字基準パルス（噴射タイミング
信号）に基づき用紙搬送位置に合わせた適切なタイミングでインク滴の噴射制御を行う。
【００２９】
図１及び図２では、ドラム１３及びローラ１４の各径の比率を模式的に描いており、実
際には、本実施形態のドラム１３は、ローラ１４の径の３〜１０倍の範囲内の径を有して
いる。例えばローラ径が３ｃｍである場合、ドラム１３の径は９〜３０ｃｍ程度の範囲と
するのが好ましい。このような径の比率に設定するのは、ドラム１３については大径にし
て大きなイナーシャを確保して安定な回転を得る目的と、ドラム外周面上で印字を行うラ
インヘッド１９Ｙ，１９Ｍ，１９Ｃ，１９Ｋの配列エリアを確保する目的のためである。
【００３０】
また、記録紙Ｐがベルト１５上を搬送されてローラ１４に到達した際に、記録紙Ｐをベ
ルト１５上から剥離する必要があるが、本例では、ベルト１５のローラ１４に巻き掛けら
れた部分の曲率によって、記録紙Ｐを自らの剛性によって曲率分離させるようにしている
。記録紙Ｐの剛性等から曲率分離させるために必要なベルト１５の曲率が決まり、この曲
率が得られるようにローラ１４の径を決めている。記録紙Ｐの曲率分離箇所よりも搬送方
向下流側近傍位置には、記録紙Ｐを強制的に分離させるための剥離爪２４が配置されてい
る。剥離爪２４は、ベルト１５の幅方向に複数個並んで配設されており、曲率分離されな
かった記録紙Ｐにその紙幅方向複数箇所にて当接して記録紙Ｐをベルト１５から剥離させ
る。なお、曲率分離箇所と同じ箇所に剥離爪２４を設けても構わない。
【００３１】
このように構成されたプリンタでは、印刷が開始されると、図１における搬送方法上流
側にあるドラム１３上に、ゲートローラ１７から記録紙Ｐがまず給送される。記録紙Ｐは
、ベルト上に載置され、ベルト１５がゴム製であることから、その表面に粘着性があるの
で、記録紙Ｐはベルト１５上に密着する（貼り付く）。
【００３２】
駆動側のドラム１３の力でベルト１５は駆動され、ドラム１３の動きにベルト１５がつ
いていくようにベルト１５は回転する。ドラム１３上では、ベルト１５の動きはドラム１
３に依存するため、その上に載った記録紙Ｐの動きも、ドラム１３に依存する。ここで、
イナーシャの大きなドラム１３は、一定速度で回転させる場合は安定に回転するため、仮
に、従動ローラ側で速度変動等が生じても、ドラム１３上ではベルト１５の回転は安定し
、ベルト１５の振動の原因になり難い。よって、ベルト搬送は格段に安定し、高速印字で
の高画質の達成に寄与する。
【００３３】
また、ベルト１５の向きは、ドラム１３とローラ１４のうち巻き付き量の大きいドラム
１３側に依存するので、仮に、径の小さな従動ローラ側で速度変動等が生じても、ベルト
１５の回転は安定して、蛇行なども起きにくい。
【００３４】
また、ベルト１５がドラム１３に対して斜行しても、記録紙Ｐはドラム１３との間でベ
ルト１５を間に介するものの、あくまでドラム１３に倣って回転する。つまり、ドラム１
３に対してベルト１５が斜行していて、記録紙Ｐが、斜行するベルト１５に対して傾いて
載っても、ドラム１３に対しては傾かずに載るので、記録紙Ｐが正しい姿勢・位置でドラ
ム１３上へ給送されれば、たとえ記録紙Ｐが載ったベルト１５が斜行していても、あくま
でドラム１３に倣って安定に搬送される。
【００３５】
プリンタ１１は、ライン記録方式のラインヘッド１９で印字する構成なので、ドラム１
３を一定回転速度で回転させながら印刷を進める。これに対し、仮にシリアル記録方式を
採用すると、シリアル式の記録ヘッドが走査のためにドラムのスラスト方向へ移動する度
に、イナーシャの大きなドラムは駆動・駆動停止を繰り返すことになり、ドラムの停止位
置精度が悪くなる。ラインヘッドであれば、ドラム１３を一定速度で回転させながら印字
ができるので、ドラム１３の安定した回転により、記録紙Ｐの搬送位置精度が高まり、記
録紙Ｐに高画質の印刷を施すことができる。このとき、印刷は高速で行われ、例えばドラ
ム１３が１回転〜２回転するうち（例えば１〜５秒程度）に一枚の印刷が終了してゆく。
【００３６】
こうして印刷後の記録紙Ｐは、図１の搬送方向下流側に位置するローラ１４に対応する
位置までベルト１５上に載って搬送され、ローラ１４の径に応じて曲率の大きく変化した
ベルト１５の曲面にて記録紙Ｐは曲率分離されて外部へ排出される。ベルト１５に付着し
た記録紙を曲げてその剛性のみでベルト１５から分離（曲率分離）して、記録紙Ｐをベル
ト１５から剥離する。また、記録紙Ｐに曲率分離されなかった部分が発生しても、その部
分は剥離爪２４により剥離される。
【００３７】
以上、詳述したように第一実施形態によれば、以下の効果が得られる。
（１）給送された記録紙Ｐにおいて、大径でイナーシャが大きく安定な回転が得られる
ドラム１３上にある部分に対し、ラインヘッド１９による印刷が施されるので、高い印刷
位置精度で印刷することができる。また、記録手段がラインヘッド１９であるので、ドラ
ム１３を一定速度で回転させつつ印刷を進められるので、印刷位置精度向上に寄与する。
例えばシリアル記録方式であると、ドラムを間欠駆動させる必要があり、イナーシャの大
きいドラムの停止位置精度（用紙搬送位置精度）の悪化により、印刷精度が低下してしま
う。これに対し、ライン記録方式であるため、イナーシャの大きなドラム１３を印刷中に
おいて、印刷位置精度の悪化の原因となる停止をさせることなく、一定速度で回転させ続
ければよいので、ドラムの安定な回転が得られ、高い印刷位置精度を確保できる。
【００３８】
（２）記録紙Ｐの搬送にはベルト１５を利用しているので、ベルト１５により簡便な搬
送ができる。また、記録紙Ｐはドラム１３の外周面上に直接載る訳でなく、ベルト１５を
介してドラム１３上に載る構成となるものの、ベルト１５のドラム１３の外周面に巻き掛
けられている部分はドラム１３に倣うので、記録紙Ｐの安定な搬送を実現でき、高画質の
印刷を行うことができる。
【００３９】
（３）ベルト１５が巻き掛けられるドラム１３と対をなす回転体として小径のローラ１
４を配置しているので、印刷後にベルト１５上に載った状態で搬送された記録紙Ｐを、ロ
ーラ１４と対応して曲率の大きくなったベルト曲面部分でベルト１５から簡単に曲率分離
することができる。例えば特許文献１に記載された発明において、記録紙をドラムから剥
がすために設けられていた複雑なグリップ機構等を設ける必要がない。
【００４０】
（４）ドラム１３の径を、ローラ１４の径の３〜１０倍の範囲内の値に設定しているの
で、ドラム１３の大径化に伴うプリンタ１１の大型化を回避しつつ、ローラ１４に比べド
ラム１３のイナーシャを十分大きく確保して、記録紙Ｐの搬送安定性と、記録紙Ｐへの印
刷位置精度の向上とを実現できる。
【００４１】
（５）曲率分離位置より搬送方向やや下流側の位置に剥離爪２４を設けたので、仮に記
録紙Ｐにベルト１５から曲率分離できない部分が発生しても、その部分は剥離爪２４によ
りベルト１５から半ば強制的に剥離できる。
【００４２】
（６）継ぎ目のあるベルト１５を用いても、ゲートローラ１７の駆動開始タイミングを
コントローラ２３により制御することにより、記録紙Ｐをベルト１５上の継ぎ目を避けた
位置に載せるよう給紙できる。よって、ベルト１５のドラム１３に巻き掛けられた部分の
上面に載った記録紙Ｐの平坦度を確保でき、印刷画質の向上を図りやすい。
【００４３】
（７）ドラム１３及びローラ１４間でベルト１５の宙に浮いた部分が振動したり、イナ
ーシャの小さなローラ１４の速度変動に起因してベルト１５がその速度変動の周期で揺れ
したりしても、記録紙Ｐのドラム１３に巻き掛けられている部分にはその種の振動や揺れ
等が伝わらないので、印刷品質の向上に寄与する。
【００４４】
（第二実施形態）
次に第二実施形態のプリンタについて図３〜図５に基づいて説明する。
図３は、ラインプリンタの模式側断面図を示し、図４は、その模式側面図を示す。また
、図５は、ラインプリンタの平面図を示す。第二実施形態のラインプリンタは、ベルトに
負圧吸着方式を採用している点が、前記第一実施形態と異なる特徴部分である。
【００４５】
図３に示すラインプリンタ（以下、単にプリンタ３１という）が備えるドラム１３には
、多数個の吸引孔１３ｂがその外周面全域に亘って点在するように形成されている。また
、ベルト１５にも多数個の吸引孔１５ａが面全域に亘って点在するように形成されている
。ベルト１５がドラム１３に巻き掛けられた部分において、ドラム１３に対するベルト１
５の巻き付き位置が多少ずれても、ドラム１３側の吸引孔１３ｂとベルト１５側の吸引孔
１５ａとが少なくとも一部必ず連通するように構成されている。例えば、ドラム１３とベ
ルト１５のそれぞれにランダムに吸引孔１３ｂ，１５ａが形成されていたり、ドラム１３
とベルト１５のうち一方の吸引孔が他方の吸引孔に比べ十分大きく形成されていたりすれ
ばよい。
【００４６】
図４、図５に示すように、プリンタ１１の両側面（図４の紙面に直交する方向の両側）
は、ドラム１３から空気を排出する部分以外は、空気が漏れないように、左右両側の側板
３２により塞がれている。また、側板３２と、ドラム１３、ローラ１４、ベルト１５等の
可動部分との隙間は、例えば接触シール又はラビリンス構造による公知のシール手段を用
いてシールされている。
【００４７】
図５に示すように、一方の側板３２（図５における上側）には、ドラム１３の内部と連
通する配管３３の一端部が接続されており、この配管３３の他端部はファン装置３４と接
続されている。コントローラ２３によりファン装置３４が回転駆動されることで、ドラム
１３内の空間で構成されるドラム室３５の空気が外部へ吸引排出され、ドラム１３内が負
圧に保たれるようになっている。そして、ベルト１５、左右の両側板３２、ドラム１３及
びローラ１４により囲まれた略閉塞空間であるベルト室３６は、ドラム１３内と吸引孔１
３ｂを介して連通しているため、ドラム１３内が負圧状態にあるときには、ベルト室３６
内も負圧状態となる。そして、ベルト室３６内の負圧により、ベルト１５の吸引孔１５ａ
には、ベルト１５の外周面側からベルト室３６側へ向かう吸引気流が発生し、印刷後の記
録紙Ｐはベルト１５の上側部分上面に吸着された状態で搬送される。よって、例えば記録
紙のうちベルト１５の上側部分に載って搬送される印刷後の部分は、所定の風力の気流（
風）を受けても、ベルト１５の上面から捲り上がることなく、安定に搬送される。このた
め、記録紙Ｐにおいて印刷を終えた部分がベルト１５から捲り上がることに起因して、記
録紙Ｐの印刷を行っている部分やこれから印刷を行う部分がドラム１３に対して位置ずれ
することを回避可能な構成となっている。
【００４８】
また、記録紙Ｐをベルト１５上に吸着させる構成であり、ベルト１５に対して重力方向
下側となる吸着面にも記録紙Ｐを載せることができるので、ゲートローラ１７が第一実施
形態における配置位置よりも、よりドラム１３の下側に配置されている。この結果、ドラ
ム１３に対する記録紙Ｐの給紙位置がドラム１３の外周面におけるより下側位置へシフト
し、ドラム１３の周方向における記録紙Ｐのドラム巻き付き量がより広く確保されるよう
になっている。
【００４９】
さて、このプリンタ１１においては、ファン装置３４の駆動によりドラム１３の内側か
ら空気を排出し、ドラム１３及びベルト１５に開口する吸引孔１３ｂ，１５ａの外周側か
ら内周側に向かう空気流が生じることで、記録紙Ｐはベルト１５上に吸着された状態で搬
送される。これにより、記録紙Ｐのドラム１３に対する位置ずれがまずなくなるため、確
実で安定した記録紙Ｐの搬送が実現される。
【００５０】
記録紙Ｐは、搬送方向下流側（図３における左側）に位置するローラ１４に対応する位
置まで搬送されると、ローラ１４に巻き掛けられた部分のベルトの吸引孔１５ａがローラ
１４の外周面に塞がれてベルト１５上の記録紙Ｐに対する吸引力が働かなくなる。このた
め、吸引孔１５ａの閉塞による吸引力の消滅と、ローラ１４による曲率分離との両効果に
より、記録紙Ｐをベルト１５から容易に分離できる。なお、前記第一実施形態と同様に、
剥離爪２４（分離爪）が設けられているので、記録紙Ｐに仮に曲率分離されない部分が生
じても、その非分離箇所を剥離爪２４により確実に分離できる。
【００５１】
この第二実施形態によれば、以下に示す効果が得られる。
（８）ドラム１３内をファン装置３４の駆動により負圧にし、ドラム１３とベルト１５
双方に形成した吸引孔１３ｂ、１５ａを通じて、ドラム１３に巻き掛けられた部分のベル
ト１５上に記録紙Ｐを吸着するので、ドラム１３に対する記録紙Ｐの位置ずれをより確実
に回避できる。従って、記録紙Ｐに対する印刷位置精度を高く維持できる。
【００５２】
（９）ドラム１３内（ドラム室３５）と吸引孔１３ｂを通じて連通するベルト室３６も
負圧になるので、印刷後の記録紙Ｐをベルト１５上に吸着された状態で搬送できる。しか
も、記録紙Ｐが曲率分離される箇所では、ベルト１５の吸引孔１５ａがローラ１４の外周
面に塞がれてベルト１５上の記録紙Ｐに吸引力が及ばなくなるので、記録紙Ｐを容易に曲
率分離できる。
【００５３】
（１０）記録紙Ｐはベルト１５上に吸着されるので、ベルト１５に対して重力方向下側
となる吸着面にも記録紙Ｐを載せることができ、ドラム１３の外周面に対するベルト１５
及び記録紙Ｐの巻き付き量（巻き付き長）をドラム１３の周方向に広く（長く）確保でき
る。よって、ドラム１３の外周面に対する記録紙Ｐが巻き付けられる部分に対向配置すべ
きラインヘッド１９のドラム１３の周方向に沿った方向における配設可能エリアを広く確
保できる。よって、色数が５色以上に増えるなどより多くの個数のラインヘッド１９の配
置が必要になっても対応できるうえ、個数が増えない場合においては、ラインヘッド１９
の配置位置の選択の自由度を増やすことができる。
【００５４】
（第三実施形態）
第三実施形態のプリンタについて説明する。この第三実施形態は、前記第二実施形態と
同様に、負圧吸着方式を採用するが、ドラム室内に負圧を導入するためのドラムの支持構
造が異なる例である。図６はプリンタの模式側断面図、図７はプリンタの平面図を示す。
【００５５】
図６に示すように、本例のラインプリンタ（以下、単にプリンタ４１という）が備える
ドラム１３は、その軸線を通るように内部に連通された支持パイプ４２に対してベアリン
グ４３（例えばボールベアリング）を介して回転自在な状態で支持されている。ベアリン
グ４３は、支持パイプ４２の外周面に嵌着されたインナ部材４３ａと、ドラム１３の内周
面に嵌着されたアウタ部材４３ｂと、インナ部材４３ａとアウタ部材４３ｂとの間に介装
された複数個のボール４３ｃとにより構成されている。支持パイプ４２は図示しないブラ
ケットにより両端部で支持されている。支持パイプ４２の外周面上には内外を連通する複
数の孔４２ａが開口しており、これら孔４２ａを通じて支持パイプ４２の内部はドラム１
３内の空間と連通している。ベアリング４３は、支持パイプ４２の両端部に二個設けられ
ており、それら二個の間における支持パイプ４２とドラム１３との間の空間部分は、ドラ
ム１３の外側から吸引孔１３ｂを通じて吸引された吸引気流が支持パイプ４２の孔４２ａ
を通じて支持パイプ４２内へ流入するときの気流流路となる。
【００５６】
図７に示すように、支持パイプ４２の一端部（図７における下端部）には、電動モータ
１６の駆動軸が動力伝達可能な状態に接続されており、その他端側は、図７における上側
の側板３２を外側へ貫通して、その先端部がファン装置３４と接続されている。なお、左
右の側板３２は、ベルト１５の側方、及びドラム１３の側方を略閉塞するように配置され
ている。側板３２とベルト１５の間、側板３２と回転軸１３ａ，１４ａとの間など、側板
と可動部分との間のシールには、第二実施形態と同様に、接触シール又はラビリンス構造
などが採用されている。なお、支持パイプ４２とドラム１３との間の空間がドラム室とな
っている。
【００５７】
この支持パイプ４２は、ドラム１３を回転可能に支持する支持軸機能と、ドラム１３内
を負圧にするためにドラム１３内の空気を外側へ吸引排出させるための流路機能との両方
を有しており、複数機能を備える割に簡素な構造にすることができる。
【００５８】
また、図６に示すように、ベルト１５の内周側空間内には、隔壁板４６（仕切り板）が
、ドラム１３の下側近傍位置からローラ１４の上側近傍位置に亘って斜状に配置され、ベ
ルト１５の内周側空間を二つに区画し、そのうちドラム１３の吸引孔１３ｂと連通されて
いる上側の区画空間部分が、ベルト室４７となっている。
【００５９】
また、支持パイプ４２の内部が負圧導入室４４となっており、コントローラ２３により
ファン装置３４が駆動されると、負圧導入室４４が負圧状態になる。そして、孔４２ａを
通じて連通するドラム１３内のドラム室も負圧状態になり、さらに吸引孔１３ｂを通じて
連通するベルト室４７も負圧状態になる。
【００６０】
このとき、ベルト室４７内の空気の流れが、隔壁板４６により制御されることで、負圧
に基づく吸着力を、主としてドラム１３上及びベルト１５の上側部分における必要箇所に
重点的に付与できる。このため、ファン装置３４の吸引能力の割に、比較的強い吸着力を
確保できる。また、ローラ１４の外周面で吸引孔１５ａが塞がれる箇所より少し上流側位
置においても隔壁板４６の配置により吸引力が及ばなくなるので、記録紙Ｐの分離箇所に
おける分離を確実に行うことが可能となる。
【００６１】
この第三実施形態によれば、以下に示す効果が得られる。
（１１）支持パイプ４２を設け、ドラム１３を回転可能に支持する支持軸機能と、ドラ
ム内及びベルト１５の内周側空間（ベルト室４７）内の空気を外側へ吸引排出する流路の
機能とを、支持パイプ４２により両立させたので、両機能を備える割に構造を簡単にする
ことができる。
【００６２】
（１２）第二実施形態では、ベルト１５の下側部分（記録紙Ｐが載らない部分）でも吸
引孔１５ａを通じて吸引力が及ぶが、本実施形態では隔壁板４６を配置することにより、
ベルト１５における記録紙Ｐが載るほぼ必要箇所のみに吸引力が及ぶ構成なので、負圧を
必要部分に集中させて用いることができる。必要な吸引力を確保するために必要なファン
装置３４のサイズを比較的小型に済ませられる。
【００６３】
（第四実施形態）
次に第四実施形態について図８に基づいて説明する。図８は、前記第三実施形態で示し
た隔壁板の別の形態を示す。
【００６４】
図８に示すラインプリンタ（以下、単にプリンタ５１という）では、隔壁板５２が、側
面視において、ドラム１３の下端近傍位置から上方へゆくに連れてドラムの外周面との距
離を徐々に離間させるように湾曲した形状の湾曲板部５２ａと、湾曲板部５２ａの上端部
から搬送方向下流側へ屈曲するとともに搬送方向下流側へゆくに連れてベルト１５の下面
との距離を徐々に狭めるように、ローラ１４の上側近傍位置へ向かって斜状に延出する斜
状板部５２ｂとを有している。
【００６５】
隔壁板５２を図８に示す形状にすると、ベルト室５３は、ベルト１５の上側部分に沿っ
て搬送方向下流側へゆくに連れて、斜状板部５２ｂとベルト１５との距離が徐々に狭まり
、空気の流路抵抗が徐々に大きくなるので、吸引力はドラム１３の上部分及びベルト１５
の上側部分の搬送方向上流側部位にさらに重点的に配分される。
【００６６】
記録紙Ｐを分離排出するローラ１４に対応する位置近くまで記録紙Ｐの吸着効果が継続
されるとともに、図８に示すように、ローラ１４に近づくに連れて急激に流路抵抗が高ま
る構造なので、記録紙Ｐのベルト１５からの分離排出を確実に行うことができる。
【００６７】
この第四実施形態によれば、以下に示す効果が得られる。
（１３）分離位置まで搬送される過程で吸引孔１５ａを通じて記録紙Ｐに及ぶ吸着力が
徐々に弱まるように、搬送方向下流側ほど流路抵抗を大きくすべくベルト室５３が徐々に
狭くなる斜状板部５２ｂを形成した。よって、搬送中は記録紙Ｐをベルト１５上に確実に
吸着させることができるうえ、記録紙Ｐをベルト１５から確実に分離させることができる
。
【００６８】
なお、実施形態は、上記に限定されるものではなく、以下のように変更してもよい。
（変形例１）ラインヘッド１９は四色分の四個に限定されない。ラインヘッドを５色以
上の多数個配置してもよい。また、ライン方式の記録手段は、最大記録紙の幅全域に亘っ
てノズルが配置されている限りにおいて、１本のラインヘッドである構成に限定されない
。例えば最大記録紙の幅方向における一部のエリアに亘ってノズルが配置された記録ヘッ
ドを、媒体搬送方向と交差する紙幅方向に位置を違えて複数個配置し、複数個の記録ヘッ
ドにより記録紙の紙幅方向全域に亘る同一色の印字を可能とする構成でも構わない。この
場合、同一種（同一色）の液体（インク）を噴射する複数個の記録ヘッドは、少なくとも
１個が媒体搬送方向に異なる位置に配置されても構わず、例えば複数個の記録ヘッドが媒
体幅方向に沿う方向に千鳥配置してもよい。
【００６９】
（変形例２）前記各実施形態においてドラム１３の表面をヒータ（発熱体）で加熱する
ことで、記録紙Ｐに印刷されたインクの乾燥を促進させる構成も採用できる。この構成の
場合、ドラム１３の材料は金属が適している。また、ヒータはドラム１３の内側に配置し
てもよいし、ドラム１３の内周面又は外周面にヒータ配線を形成してもよい。
【００７０】
（変形例３）剥離手段としての剥離爪２４の配置位置は、曲率分離箇所と同じ位置に設
けてもよい。この場合、記録紙Ｐを曲率分離と同時に剥離爪２４による剥離作用を及ぼし
てベルト１５から確実に分離させることができる。
【００７１】
（変形例４）一枚の帯状のベルト１５を採用したが、記録紙を搬送できる限りにおいて
、ベルトは適宜な構成を採用できる。例えば細めのベルトがドラム及びローラに複数本巻
き掛けられた構成や、一枚のベルトの所々に孔が開口する構成なども採用できる。
【００７２】
（変形例５）ベルトにはドラムに巻き付く部分においてのみ負圧に基づく吸着力が及ぶ
構成でもよい。
（変形例６）ドラム表面に対してベルト１５の滑りが発生する虞がある場合は、ドラム
１３に表面粗度を高める表面処理を施してもよい。
【００７３】
（変形例７）前記各実施形態では、カット紙を用いた印刷の例で示したが、ロール紙を
使用してもよい。
（変形例８）磁気式リニアエンコーダ２０に替え、光学式リニアエンコーダを用いても
よい。この場合、透過型と反射型のどちらを採用してもよい。また、ドラム等の回転を検
出するロータリエンコーダも採用できる。
【００７４】
（変形例９）インクジェット式プリンタに限定されない。ラインプリンタである限りに
おいて、熱転写式プリンタにも採用できる。また、コピー機にも適用できる。
（変形例１０）流体噴射方式の画像形成装置は、インクジェット式プリンタに限定され
ない。インク以外の他の流体（液体や、機能材料の粒子が液体に分散又は混合されてなる
液状体、ゲルのような流状体、流体として流して噴射できる固体（例えばトナー等を含む
粉粒体）を含む）を噴射したり吐出したりする流体噴射装置に具体化することもできる。
例えば、液晶ディスプレイ、ＥＬ（エレクトロルミネッセンス）ディスプレイ及び面発光
ディスプレイの製造などに用いられる電極材や色材（画素材料）などの材料を分散または
溶解のかたちで含む液状体を噴射する液状体噴射装置、さらに光通信素子等に用いられる
微小半球レンズ（光学レンズ）などを形成するために紫外線硬化樹脂等の透明樹脂液を基
板上に噴射する液体噴射装置、基板などをエッチングするために酸又はアルカリ等のエッ
チング液を噴射する液体噴射装置、ゲル（例えば物理ゲル）などの流状体を噴射する流状
体噴射装置であってもよい。なお、これらの各装置のように、噴射した流体を基板等の記
録媒体上に着弾させて形成した所定パターン（配線パターン、電極パターン、画素パター
ン、エッチングパターン、配列パターンを含む）も、本明細書では記録により形成される
画像に含まれる。なお、「流体」とは、気体のみからなる流体を含まない概念であり、例
えば液体（無機溶剤、有機溶剤、溶液、液状樹脂、液状金属（金属融液）等を含む）、粉
粒体、流状体などが含まれる。
【図面の簡単な説明】
【００７５】
【図１】第一実施形態におけるプリンタの概略構成を示す模式側面図。
【図２】プリンタの模式平面図。
【図３】第二実施形態におけるプリンタの模式側断面図。
【図４】プリンタの模式側面図。
【図５】プリンタの模式平面図。
【図６】第三実施形態におけるプリンタの模式側断面図。
【図７】プリンタの模式平面図。
【図８】第四実施形態におけるプリンタの模式側断面図。
【符号の説明】
【００７６】
１１…画像形成装置としてのラインプリンタ、１３…ドラム、１３ｂ…吸引孔、１４…
ローラ、１５…ベルト、１５ａ…吸引孔、１６…駆動源として電動モータ、１７…給送手
段としてのゲートローラ、１９Ｙ，１９Ｍ，１９Ｃ，１９Ｋ…記録手段を構成するライン
ヘッド（記録ヘッド）、２３…制御手段としてのコントローラ、２４…剥離手段としての
剥離爪、２７…負圧手段としてのファン装置、３１…ラインプリンタ、３２…側板、３３
…配管、３５…ドラム室、３６…ベルト室、４１…ラインプリンタ、４２…支持パイプ、
４６…隔壁部としての隔壁板、５２…隔壁部としての隔壁板。
【図１】
2009073589.tif 000003
【図２】
2009073589.tif 000004
【図３】
2009073589.tif 000005
【図４】
2009073589.tif 000006
【図５】
2009073589.tif 000007
【図６】
2009073589.tif 000008
【図７】
2009073589.tif 000009
【図８】
2009073589.tif 000010